(57)【要約】【課題】着脱が確実に、かつ、容易にできる吐出部材を備えた吐出装置ならびにその吐出装置に用いられる吐出容器、吐出部材を提供する。【解決手段】エアゾール容器１１と、そのエアゾール容器に付け替え可能に取り付けられる吐出部材１５とからなるエアゾール装置（吐出装置）１０。エアゾール容器１１の肩カバー１４には、エアゾール容器１１の全体の方向を認識させる平面壁２１（方向認識部）が設けられており、上下方向に延びる案内溝２９（第１吐出部材ガイド）が設けられている。一方、吐出部材１５の装着体１７には、案内溝２９に挿入される案内凸部４０（第１肩カバーガイド部）が設けられている。この案内溝２９と案内凸部４０とが、装着体１７を肩カバー１４（エアゾール容器１１）に装着させるときに装着体１７をガイドする案内機構となる。【選択図】図１
2015166251.tif 000002
【特許請求の範囲】
【請求項１】
弁棒を有する吐出容器と、
その吐出容器に付け替え可能に取り付けられる吐出部材とからなる吐出装置であって、
前記吐出容器は、容器本体と、その容器本体を閉じ、弁棒を備えたバルブアッセンブリと、弁棒を通し、容器本体またはバルブアッセンブリに固定される筒状の肩カバーとを備えており、
前記吐出部材は、前記弁棒に装着される押ボタンと、肩カバーに装着される装着体とを備えており、
前記肩カバーに方向認識機構が設けられており、
前記肩カバーと装着体との間に、装着体を肩カバーに装着させるときに装着体を案内する案内機構が設けられている、
吐出装置。
【請求項２】
前記装着体に、装着体を肩カバーから取り外すときに操作する脱離操作機構が設けられている、
請求項１記載の吐出装置。
【請求項３】
前記方向認識機構と案内機構が弁棒を介して直線上に設けられており、
前記脱離操作機構が前記直線と直交する直線上に設けられている、
請求項２記載の吐出装置。
【請求項４】
前記方向認識機構が、肩カバーの外形が容器本体の軸を中心に非点対称とする肩カバーの平面部からなる、
請求項１記載の吐出装置。
【請求項５】
前記容器本体またはバルブアッセンブリに容器方向認識機構が設けられた、
請求項１載の吐出装置。
【請求項６】
前記脱離操作機構が、前記装着体の外周に設けられた係合片であり、
前記係合片は、下部に設けられ、内側にある肩カバーと係合する係合爪と、上部に設けられ、係合を解除する押部と、その中央に設けられた軸部とを備え、前記係合爪と肩カバーとが係合するように付勢されており、
前記押部は、係合片を軸部周りに回転させ、係合爪と肩カバーとの係合が解除された状態で、装着体の外周よりも突出するように形成されている、
請求項１記載の吐出装置。
【請求項７】
前記肩カバーの上端が弁棒の上端より高い、
請求項１記載の吐出装置。
【請求項８】
請求項１〜７いずれか記載の吐出装置に用いるための吐出容器であって、
容器本体と、その容器本体を閉じ、弁棒を備えたバルブアッセンブリと、弁棒を通し、容器本体またはバルブアッセンブリに固定される筒状の肩カバーとを備えており、
前記肩カバーには、方向認識機構が設けられており、
前記肩カバーには、その肩カバーに付け替え可能に取り付けられる吐出部材を肩カバーに装着させるときに吐出部材を案内する吐出部材ガイド部が設けられている、
吐出容器。
【請求項９】
前記肩カバーの上端開口部を閉じる封止材が設けられている、
請求項８記載の吐出容器。
【請求項１０】
請求項１〜７いずれか記載の吐出装置に用いるための吐出部材であって、
前記弁棒に装着される押ボタンと、肩カバーに付け替え可能に装着される装着体とを備えており、
前記装着体には、装着体を肩カバーに装着させるときに装着体を案内する肩カバーガイド部が設けられている、
吐出部材。
【発明の詳細な説明】
【技術分野】
【０００１】
本発明は、吐出装置ならびにその吐出装置に用いられる吐出容器、吐出部材に関する。
【背景技術】
【０００２】
弁機構を備えた吐出容器と、その吐出容器を操作する吐出部材とからなる吐出装置が知られている。一般的にこのような吐出装置は、吐出容器と吐出部材とを連結させた状態で販売されている。
一方、近年、環境問題等が提起されており、吐出装置を使用した後は、金属製の容器と、合成樹脂製の他の部品とを分離して廃棄することが求められている。そして、再利用できる部品については、積極的に再利用することが求められている。
特許文献１には、エアゾール容器と、そのエアゾール容器へ脱着可能な噴射部材（吐出部材）とからなるエアゾール製品が開示されている。噴射部材には、係合片からなる脱着機構が設けられており、ワンタッチで脱着可能となっている。
【先行技術文献】
【特許文献】
【０００３】
【特許文献１】特開２００８−２５４７３９号公報
【発明の概要】
【発明が解決しようとする課題】
【０００４】
しかし、吐出容器と吐出部材とは、吐出容器のステムと吐出部材の押ボタンとの係合、吐出容器と吐出部材の本体の係合の２箇所を連結して装着される。また、押ボタン等の操作で外れないように強固に係合される。そのため、吐出容器と吐出部材とを脱着可能に構成しても、それらの装着は煩雑である。
特許文献１の噴射部材は、押ボタンと噴射部材本体とが一体化されているが、ヒンジで連結されているにすぎず、それぞれ独立して係合することになる。その一方、いずれか一方を先に不完全な状態で装着すると、他方の装着も不完全な状態となりやすい。特に、噴射部材本体とエアゾール容器とを装着した後、押ボタンとステムとを装着する場合、噴射部材本体とエアゾール容器との装着が不完全（噴射部材本体がエアゾール容器に対して傾斜した状態）であると押ボタンとステムの位置がずれるため、押ボタンとステムの装着も不完全になりやすい。このような状態で噴射操作すると、押ボタンとステムの装着部分から内容物が漏れるという問題が起こる。
さらに、特許文献１の噴射部材は、エアゾール容器の金属製の環状凹部と直接着脱させるため、繰り返し着脱を行うと、係合突起などが劣化するという問題もある。
本発明は、着脱が確実に、かつ、容易にできる吐出部材を備えた吐出装置ならびにその吐出装置に用いられる吐出容器、吐出部材を提供することを目的としている。
【課題を解決するための手段】
【０００５】
本発明の吐出装置は、弁棒を有する吐出容器と、その吐出容器に付け替え可能に取り付けられる吐出部材とからなる吐出装置であって、前記吐出容器は、容器本体と、その容器本体を閉じ、弁棒を備えたバルブアッセンブリと、、弁棒を通し、容器本体またはバルブアッセンブリに固定される筒状の肩カバーとを備えており、前記吐出部材は、前記弁棒に装着される押ボタンと、肩カバーに装着される装着体とを備えており、前記肩カバーに方向認識機構が設けられており、前記肩カバーと装着体との間に、装着体を肩カバーに装着させるときに装着体を案内する案内機構が設けられていることを特徴としている。
なお、吐出容器としては、容器本体と、その容器本体を閉じ、１つの弁棒を有するバルブアッセンブリと、弁棒を通し、容器本体またはバルブアッセンブリに固定される筒状の
肩カバーとを備えた吐出容器（１つの弁棒を有する吐出容器）；容器本体と、その容器本体を閉じ、２つまたは複数の弁棒を有するバルブアッセンブリと、２つまたは複数の弁棒を通し、容器本体またはバルブアッセンブリに固定される筒状の肩カバーとを備えた吐出容器（２つまたは複数の弁棒を有する吐出容器）；２つまたは複数の容器本体と、それぞれの容器本体を閉じ、１つの弁棒を有するバルブアッセンブリと、弁棒を通し、容器本体またはバルブアッセンブリに固定され、かつ、２つまたは複数の容器本体またはバルブアッセンブリを連結させる筒状の肩カバーとを備えた吐出容器（２連式の吐出容器）が挙げられる。
【０００６】
本発明の吐出装置は、前記装着体に装着体を肩カバーから取り外すときに操作する脱離操作機構が設けられていてもよい。
本発明の吐出装置は、前記方向認識機構と案内機構が弁棒を介して直線上に設けられており、前記脱離操作機構が前記直線と直交する直線上に設けられていてもよい。
本発明の吐出装置は、前記方向認識機構が肩カバーの外形が容器本体の軸を中心に非点対称とする肩カバーの平面部（方向認識部）からなるのが好ましい。しかし、肩カバーの外形が容器本体の軸を中心に非点対称とする部位（方向認識部）を有していればよい。
本発明の吐出装置は、前記容器本体またはバルブアッセンブリに容器方向認識機構が設けられてもよい。この容器方向認識機構は、容器本体またはバルブアッセンブリの外形が容器本体の軸を中心に非点対称とする部位（容器方向認識部）からなるのが好ましい。
本発明の吐出装置は、前記脱離操作機構が前記装着体の外周に設けられた係合片であり、前記係合片が下部に設けられ内側にある肩カバーと係合する係合爪と、上部に設けられ係合を解除する押部と、その中央に設けられた軸部とを備えており、その係合爪と肩カバーとが係合するように付勢されており、前記押部が係合片を軸部周りに回転させ、係合爪と肩カバーとの係合を解除された状態で、装着体の外周よりも突出するように形成されていてもよい。
本発明の吐出装置は、前記肩カバーの上端が弁棒の上端より高くてもよい。
【０００７】
本発明の吐出容器は、本発明の吐出装置に用いるための吐出容器であって、容器本体と、その容器本体を閉じ、弁棒を備えたバルブアッセンブリと、弁棒を通し、容器本体またはバルブアッセンブリに固定される筒状の肩カバーとを備えており、前記肩カバーには方向認識機構が設けられており、前記肩カバーにはその肩カバーに付け替え可能に取り付けられる吐出部材を肩カバーに装着させるときに吐出部材を案内する吐出部材ガイド部が設けられていることを特徴としている。前記肩カバーの上端開口部を閉じる封止材が設けられていることが好ましい。
本発明の吐出部材は、本発明の吐出装置に用いるための吐出部材であって、前記弁棒に装着される押ボタンと、肩カバーに付け替え可能に装着される装着体とを備えており、前記装着体には、装着体を肩カバーに装着させるときに装着体を案内する肩カバーガイド部が設けられていることを特徴としている。
【発明の効果】
【０００８】
本発明の吐出装置は、弁棒を有する吐出容器と、その吐出容器に付け替え可能に取り付けられる吐出部材とからなる吐出装置であって、前記吐出容器は、容器本体と、その容器本体を閉じ、弁棒を備えたバルブアッセンブリ、弁棒を通し、容器本体またはバルブアッセンブリに固定される筒状の肩カバーとを備えており、前記吐出部材は、前記弁棒に装着される押ボタンと、肩カバーに装着される装着体とを備えており、前記肩カバーに方向認識機構が設けられており、前記肩カバーと装着体との間に、装着体を肩カバーに装着させるときに装着体を案内する案内機構が設けられているため、吐出部材を吐出容器に対して安定した向きで、かつ、確実に装着することができる。特に、消費者が装着する場合でも、誤った方向での装着を防止し、押ボタンの弁棒への装着および肩カバーへの装着体の装着を実質的に同時に確実に行うことができる。また吐出容器の装飾（容器本体のデザイン
）が吐出部材の向きと合わせるように施されている場合、使用者は正確に吐出部材を吐出容器に装着できる。
特に、２つまたは複数の弁棒を有する吐出容器または２連式の吐出容器であって、それぞれの弁棒から吐出される内容物が異なる場合、毎回同じ向きで吐出部材を吐出容器に装着することにより、吐出部材内で２つの内容物が混じることがない。さらに、内容物が２液式染毛剤などの２つの原液を混合することによって効果を発揮する内容物である場合、一度使用することにより吐出部材内に残った一方の原液が、他方の原液と反応して内容物が劣化することを防止することができる。
このような吐出装置であって、前記装着体に装着体を肩カバーから取り外すときに操作する脱離操作機構が設けられている場合、より一層簡単に、かつ、確実に吐出部材の装着が可能となる。
【０００９】
本発明の吐出装置であって、前記方向認識機構と案内機構が弁棒を介して直線上に設けられており、前記脱離操作機構が前記直線と直交する直線上に設けられている場合、吐出部材の装着体を肩カバーに対して正確な向きにあわせやすく、吐出部材の装着が一層容易である。
本発明の吐出装置であって、前記方向認識機構が肩カバーの外形が容器本体の軸を中心に非点対称とする肩カバーの平面部（方向認識部）からなる場合、目視で吐出容器の向きが確認でき、吐出部材の誤装着を一層防止でき、また、その形成も容易である。なお、方向認識機構が肩カバーの外形が容器本体の軸を中心に非点対称とする部位（方向認識部）からなる場合、吐出容器の向きが確認でき、吐出部材の誤装着を防止できる。
本発明の吐出装置であって、前記容器本体またはバルブアッセンブリに容器方向認識機構が設けられている場合、肩カバーを吐出容器のバルブ機構の向きに合わせて正確に固着することができる。例えば、肩カバーの前側と、バルブ機構のディップチューブの延びる向きとを合わせることにより、使用時に傾ける方向と吐出容器内のディップチューブの延びる向きを合わせることができ、内容物を最後まで吐出することができる。特に、容器本体またはバルブアッセンブリの外形が容器本体の軸を中心に非点対称とする部位（容器方向認識部）とする場合、その製造が容易である。
本発明の吐出装置は、前記脱離操作機構が前記装着体の外周に設けられた係合片であり、前記係合片が下部に設けられ内側にある肩カバーと係合する係合爪と、上部に設けられ係合を解除する押部と、その中央に設けられ軸部とを備えており、その係合爪と肩カバーとが係合するように付勢されており、前記押部が係合片を軸部周りに回転させ、係合爪と肩カバーとの係合を解除された状態で、装着体の外周よりも突出するように形成されている場合、肩カバーの係合・解除が簡単に、かつ、確実にでき、吐出部材の取り外しが簡単である。
本発明の吐出装置は、前記肩カバーの上端が弁棒の上端より高い場合、吐出部材を取り外しても弁棒が突出することがないため、バルブ機構が肩カバーによって保護される。また、肩カバーの開口部に封止材を設けるだけで、詰め替え用製品とすることもできる。
【００１０】
本発明の吐出装置に用いるための吐出容器であって、容器本体と、その容器本体を閉じ、弁棒を備えたバルブアッセンブリと、弁棒を通し、容器本体またはバルブアッセンブリに固定される筒状の肩カバーとを備えており、前記肩カバーには方向認識機構が設けられており、前記肩カバーにはその肩カバーに付け替え可能に取り付けられる吐出部材を肩カバーに装着させるときに吐出部材を案内する吐出部材ガイド部が設けられているため、詰め替え操作が容易な吐出容器とすることができる。また、前記肩カバーの上端開口部を閉じる封止材が設けられている場合は、大きなキャップが不要になり、原料の使用量を減らしてより環境にやさしい詰め替え用容器となる。
本発明の吐出装置に用いるための吐出部材であって、前記弁棒に装着される押ボタンと、肩カバーに付け替え可能に装着される装着体とを備えており、前記装着体には、装着体を肩カバーに装着させるときに装着体を正しい装着向きに案内する肩カバーガイド部が設
けられているため、装着時の破損が少なく、何度でも再利用ができ、かつ、その取り扱いが容易である。
【図面の簡単な説明】
【００１１】
【図１】図１ａ、ｂ、ｃ、ｄは、本発明の吐出装置（エアゾール装置）の一実施形態の一部を示す一部断面側面図、一部断面正面図、平面図、側面図である。
【図２】図２ａ、ｂ、ｃ、ｄは、図１の吐出容器（エアゾール容器）を示す平面図、Ｘ−Ｘ線断面図、一部Ｙ−Ｙ線断面図、全体側面図である。
【図３】図３ａ、ｂは、図１の吐出部材を示す側面断面図、正面断面図であり、図３ｃは図１の吐出部材の脱離操作機構を作動させたときの正面断面図である。
【図４】図４ａは、本発明の吐出装置の他の実施形態の一部を示す一部断面側面図、図４ｂ、ｃは、その吐出部材を示す平面図、側面断面図である。
【図５】図５ａ、ｂは、本発明の吐出装置のさらに他の実施形態の一部を示す一部断面側面図、一部断面正面図である。
【図６】図６ａ、ｂは、図５の吐出容器を示す正面断面図、平面図である。
【発明を実施するための形態】
【００１２】
図１のエアゾール装置１０は、エアゾール容器１１と、そのエアゾール容器に付け替え可能に取り付けられる吐出部材１５とからなる。
エアゾール容器１１は、容器本体１２と、その容器本体１２を閉じるエアゾールバルブ１３と、容器本体１２および／またはエアゾールバルブ（バルブアッセンブリ）１３に固定される肩カバー１４とを備えている。肩カバー１４には、エアゾール容器１１の方向を認識できるように平面壁２１（方向認識部）が設けられている。
吐出部材１５は、エアゾールバルブ１３のステムに装着される押ボタン１６と、肩カバー１４に装着される装着体１７とを備えている。装着体１７には、装着体１７を肩カバー１４から取り外すときに操作する脱離操作部２２が設けられている。
そして、肩カバー１４と装着体１７との間に、装着体１７を肩カバー１４（エアゾール容器１１）に装着させるときに装着体１７をガイドする案内機構２３（第１案内機構）が設けられている。
このエアゾール装置１０のエアゾール容器１１と吐出部材１５とを分離することにより、エアゾール容器１１内の内容物が無くなっても吐出部材１５を再利用することができる。一方、図２ｂに示すように、エアゾール容器１１の開口部に封止材１９を設けることにより、詰め替え用のエアゾール容器となる。詰め替え用のエアゾール容器の封止材１９を開封し、エアゾール容器１１と吐出部材１５とを連結することにより、エアゾール装置１０として使用することができる。
【００１３】
初めに図２に基づいてエアゾール容器１１について説明をする。
容器本体１２は、図２ｂに示すように、円筒状の胴部、テーパー状の肩部およびその上端に環状に形成されたビード部１２ａを備えた金属製の耐圧容器である。
この容器本体１２は、たとえば、アルミニウムなどの金属円盤をインパクト加工および絞りしごき加工により有底筒状に成形し、または金属カップを絞りしごき加工により有底筒状に形成し、内面に合成樹脂コートを設け、ついで、その胴部上端にネッキング加工を施して肩部および首部を形成し、首部上端にカーリング加工を施してビード１２ａを形成して成形される。しかし、合成樹脂、ガラス等で容器本体を成形してもよい。この場合、ビード部１２ａの代わりに、容器本体の上部に外方に突出したフランジが設けられる。
【００１４】
エアゾールバルブ１３は、容器本体１２のビード１２ａにクリンプされるマウンティングカップ１３ａと、そのマウンティングカップの中央に保持されるハウジング１３ｂと、そのハウジング１３ｂ内に上下移動自在に収容され、ステム孔を有するステム（弁棒）１３ｃと、ハウジング内でステム孔を閉じるステムラバー１３ｄと、ステム１３ｃを常時上
向きに付勢するバネ１３ｅとを有している。なお、ハウジング１３ｂの下端には、容器本体１２内に延びるディップチューブ１３ｆが設けられている。このエアゾール容器１１は、マウンティングカップ１３ａの端部（ビード部１２ａを覆うマウント部）および／またはビード部１２ａが肩カバー１４と係合する係合段部１２ｂを構成する。
ディップチューブ１３ｆは、容器本体１２内の内容物を吸い上げるためのものであり、その下端の開口部が容器本体１２の底部近辺で開口するように長さが設定されている。特に、クリームやパック剤などのガス量が少ない高級化粧品などの場合、図２ｄに示すように、ディップチューブ１３ｆの下部を使用時に容器本体１２を傾ける方向（図２ｄでは前方）に合わせて湾曲させ、その先端が底部の縁部を向くように配置することで、内容物の残量を極めて少なくすることができる。
なお、エアゾールバルブ１３のマウンティングカップ１３ａにマーク等を設け、製造ライン上でそのマークを認識させることにより、肩カバー１４の方向とエアゾールバルブ１３の方向を合わせるようにしてもよい。
【００１５】
図２ｂに戻って、肩カバー１４は、容器本体１２の係合段部１２ｂと係合する円筒状の下部内周壁２５と、その下部内周壁の外周に同軸に設けられる円筒状の下部外周壁２６と、下部内周壁の上方に縮径して同軸に設けられる筒状の上部周壁２７とからなる。下部内周壁２５の上端、下部外周壁２６の上端および上部周壁２７の下端は、リング状の連通板２８によって連結している。
下部内周壁２５の下端には、半径方向内側に突出した係合爪２５ａが環状に形成されている。この係合爪２５ａが、容器本体１２の係合段部と係合する。なお、係合爪２５ａは、複数の爪が環状に設けられていてもよい。また、係合爪２５ａと容器本体１２とは、回転しないように強く固定する。
下部外周壁２６には、下端から上方に向かって形成された係合溝２６ａが２つ等間隔に設けられている。この左右の係合溝２６ａは、後述する装着体１７の脱離操作部２２と係合する（図３ｂ、ｃ参照）。また、係合溝２６ａと容器本体１２の軸とを結ぶ線は、後述する平面壁２１と容器本体１２の軸とを結ぶ線と直交するように設けられている。これにより、吐出部材１５の向きを確認しながら、装着することができる。
【００１６】
図２ａに示すように、上部周壁２７は、湾曲壁２７ａと、その両端を繋ぐ平面壁２１と、それらの上端に設けられるリング状の上壁２７ｂとからなり、平面視で円を割線で切り欠いた形状を呈している。また、湾曲壁２７ａであって、平面壁２１と中心を挟んで相対する部位が、上部周壁２７の上下にわたって切り欠かれており、上下方向に延びる案内溝２９となっている。上壁２７ｂも同様に切り欠かれている。なお、上部周壁２７の上壁２７ｂは、中央に配置されるエアゾールバルブ１３のステム１３ｃよりも高くなっている（図２ｂ、ｃ参照）。
平面壁２１（第１方向認識部）は、吐出部材１５を装着する際、円筒状の容器本体の方向を認識するための第１方向認識機構となる。この実施形態では、平面壁２１は、エアゾール容器１１の前方を向いており、前方を示すものである。なお、この平面壁２１は、後述するように装着体１７の平面部３７ｂと相対するように構成されており、第２吐出部材ガイド部ともなっており、吐出部材を誤った向きで装着するのを防止することができる（図１ａ参照）。
案内溝２９は、装着体１７を肩カバー１４に装着させるときに装着体１７を正しい向きへの案内を補助する第１吐出部材ガイド部である。また、案内溝２９は、平面壁２１の反対側にあるため、エアゾール容器１１の後方を示し、第２方向認識部としての効果も奏する。
前述したように、リング状の上壁２７ｂの中央孔（エアゾール容器１１の開口部）を塞ぐように上部周壁２７の上壁２７ｂの上に封止材１９（図２ｂの想像線）を設けることによりステムを保護することができ、簡単な構造で詰め替え用の吐出容器となる。
この実施形態では、第１方向認識機構と第２方向認識機構を有しているが、肩カバーの
外形を容器本体の軸を中心に非点対称とする方向認識部を備えていればよい。しかし、平面壁２１は、視覚によって認識しやすく、かつ、成形が容易であるため、特に好ましい。
【００１７】
次に図３に基づいて吐出部材１５の説明を行う。
押ボタン１６は、下端にステム１３ｃを受け入れるステム係合部３１ａを備えた扁平な本体３１と、その前面に設けられる噴射孔３２ａを備えた筒状のノズル部３２と、その後面に設けられる板状の押部３３とからなる。ステム係合部３１ａと噴射孔３２ａとは、内部で連通している。また、本体３１の前方下端には、装着体１７と連続するノズル部３２を挟むようにヒンジ３４が平行に設けられている（図１ａ、ｃ参照）。さらに、本体３１は、後述する装着体１７の保護部３６の側部の湾曲内壁３９ｂに向かって略前方に突出する突出部３１ｂを備えている。この突出部３１ｂを備えているため、吐出部材を取り外す際に押ボタン１６の押部３３を上方に持ち上げてステム係合部３１ａからステムを外す操作しても、突出部３１ｂが湾曲内壁３９ｂの当接部３９ｄと当接し、押ボタン１６が必要以上に押し上げられないように構成されている。そのため、この取り外し操作の回動軸となるヒンジ３４の負担を軽減でき、ヒンジ３４がちぎれたりすることが防止できる。
しかし、押ボタンは、押部３３を省略し、本体３１の上端で押し下げるようにしてもよい。また、噴射孔を本体３１に直接設け、ノズル部３２を省略してもよい。さらに、押ボタンと装着体を別体としてヒンジ部３４を省略してもよい。押ボタンは、ステムを受け入れるステム係合部、前方に設けられる噴射孔、および、それらを繋ぐボタン内通路を備えていればよい。
【００１８】
装着体１７は、肩カバー１４の下部外周壁２６を覆う円筒状の装着部３５と、その上端に設けられる保護部３６とを備えている。
保護部３６は、装着部３５の前部上方に設けられ、第２肩カバーガイド部を備えた前部３７と、その装着部３５の後部上方に、かつ、前部３７の平面部３７ｂに対して容器本体の軸を介して相対するように設けられ、第１肩カバーガイド部を備えた後部３８と、前部３７と後部３８とを連続し、かつ、押ボタン１６を囲む側部３９とを備えている。また、装着体１７には、装着体１７と肩カバー１４とを脱離可能操作できる脱離操作部２２が設けられている。しかし、脱離操作部２２を設けず、装着体１７の装着部３５の内面と、肩カバー１４の下部外周壁２６の外周とを嵌合させ、脱離可能としてもよい。
【００１９】
前部３７は、装着部３５の前部上端から容器本体の軸に向かって延びるテーパー部３７ａと、その上端から垂直方向に延びる平面部３７ｂとを備えている。この平面部３７ｂの上端にヒンジ３４が連続している。つまり、前部３７は、押ボタン１６の噴射孔３２ａ（ノズル部３２）より下方に位置する。また、平面部３７ｂは、装着部３５を肩カバー１４の下部外周壁２６に装着したとき、肩カバー１４の平面壁２７ｂと近接して平行となるように構成されている(図１ａ参照)。つまり、この平面部３７ｂが、第２肩カバーガイド部となる。
後部３８は、装着部３５の後部上端から肩カバー１４の上部周壁２７の案内溝２９に挿入される案内凸部４０を備えている。後部３８は、装着部３５の後側上端から上方に延びる支持壁３８ａと、上下に延びる案内凸部４０と、支持壁３８ａと案内凸部４０とを連結する連結片３８ｂとから構成される。この案内凸部４０が、第１肩カバーガイド部となる。
側部３９は、装着部３５の側部上端から押ボタン１６の両側を囲むように上方に延びる湾曲外壁３９ａと、その湾曲外壁３９ａと同軸に設けられた湾曲内壁３９ｂと、それらの上端を繋ぐ天壁３９ｃとからなる。
【００２０】
脱離操作部２２は、装着部３５の下端から側部３９の湾曲外壁３９ａに向かって上下に延びるスリット４１と、そのスリット４１内に配置される係合片４２とからなる。
係合片４２は、図３ｂに示すように、下部に設けられ、肩カバー１４の係合溝２６ａと
係合する係合爪４２ａと、上部に設けられ、係合状態を解除する押圧部４２ｂと、中央に設けられた軸部４２ｃとを備えており、係合爪４２ａと係合溝２６ａとが係合状態を維持するように付勢されている。この実施形態では、軸部４２ｃは、装着体１７のスリット４１と係合片４２とを連続するヒンジとなっており、係合片４２が装着体１７の湾曲外壁３９ａと平行の状態で、係合爪４２ａが係合溝２６ａと係合するように構成されている。また、押圧部４２ｂは、図３ｃに示すように、係合爪４２ａと係合溝２６ａとが解除状態（係合片４２が上部が内側に傾いている状態）で湾曲外壁３９ａ（外周ラインＬ）より外方に突出するように形成されており、係合が確実に解除されるまで押圧部４２を摘まむことができる。
【００２１】
図１のエアゾール装置１０は、エアゾール容器１１の肩カバー１４の係合溝２６ａと吐出部材１５の脱離操作部２２とからなる脱離操作機構を備えているため、係合爪４２ａを破損することなくエアゾール容器１１から吐出部材１５を容易に付け替えることができる。そのため、エアゾール容器１１内の内容物を使いきった後、吐出部材１５を取り外すことにより、吐出部材１５の再利用ができる。なお、取り外した吐出部材１５は、エアゾール容器１１の肩カバー１４の開口部に封止体１９が設けられた製品を購入し、封止体を取り外し、肩カバーの平面壁２１（第１方向認識部）を視認しながら装着体の平面部３７ｂを合わせて被せることにより、装着体の案内凸部４０が肩カバーの案内溝２９に挿入されて、さらに案内されながら吐出部材１５を正しい向きに取り付けることができ、簡単にエアゾール装置１０を再構築することができる。
【００２２】
次に、エアゾール容器１１の肩カバー１４に装着体１７を取り付けるとき、案内溝２９内に案内凸部４０を挿入し、装着体１７を肩カバー１４に案内させながら取り付けることができる。つまり、肩カバー１４の第１吐出部材ガイド部と、装着体１７の第１肩カバーガイド部とからなる第１案内機構２３を備えているため、装着体１７がエアゾール容器１１に対して傾斜した状態や誤った方向で装着することがない。特に、装着体１７と押ボタン１６とがヒンジで連結されていても、押ボタン１６のステム係合部３１ａにステム１３ｃの先端を合わせることができ、確実に装着することができる。なお、第１案内機構２３は、装着体１７に第１吐出部材ガイド部として案内溝を設け、肩カバー１４に第１肩カバーガイド部として案内凸部を設けてもよい。
さらに、本実施形態では、エアゾール容器１１の肩カバー１４に装着体１７を取り付けるとき、肩カバー１４の平面壁２１と装着体１７の平面部３７ｂとが近接して平行するように構成されているため、つまり、肩カバーの第２吐出部材ガイド部と第２肩カバーガイド部とからなる第２案内機構を備えているため、一層正確に装着体１７を肩カバー１４に装着することができる。
【００２３】
図４のエアゾール装置５０は、エアゾール容器１１と、そのエアゾール容器に付け替え可能に取り付けられる吐出部材５１とからなる。エアゾール容器１１は、図１のエアゾール容器１１と実質的に同じものであり、同様の方向認識機構を有する肩カバー１４を備えている。
吐出部材５１は、エアゾールバルブ１３のステム１３ｃに装着されるトリガー式の押ボタン５２と、肩カバー１４に装着される装着体５３とを備えている。装着体５３には、図１の装着体１７と同様に、脱離操作部２２が設けられている。つまり、エアゾール装置５０は、図１のエアゾール装置１０と同様に、肩カバー１４の係合溝２６ａと脱離操作部２２とからなる脱離操作機構を備えている。
【００２４】
押ボタン５２は、図４ｂ、ｃに示すように、下端にステム１３ｃを受け入れるステム係合部３１ａを備えた前後に延びる柱状の本体３１と、その前面に設けられる噴射孔３２ａを備えた筒状のノズル部３２と、ノズル部３２の基部下面から前下方向に向かって延びるトリガー５４と、本体３１の後部から後方に向かって突出する連結部５５とからなる。ス
テム係合部３１ａと噴射孔３２ａとは、内部で連通している。連結部５５の先端は、回転軸５５ａを備えており、後述する装着体５３の軸受けと回転自在に連結する。
装着体５３は、肩カバー１４の下部外周壁２６を覆う円筒状の装着部３５と、その装着部３５の上端に設けられた保護部５３ａとからなる。装着部３５は、図１の吐出部材１５の装着部３５と実質的に同じものである。
保護部５３ａは、その装着部３５の前部上方に設けられ、第２肩カバーガイド部を備えた前部５６と、その装着部３５の後部上方に、かつ、前部５６の平面部５６ｂに対して容器本体の軸を介して相対するように設けられ、第１肩カバーガイド部を備えた後部５７と、前部５６と後部５７とを連続し、かつ、押ボタン５２を囲む側部５８とを備えている。
【００２５】
前部５６は、装着部３５の前部上端から容器本体の軸に向かって延びる水平部５６ａと、その内端から垂直方向に延びる平面部５６ｂとを備えている。前部５６は、押ボタン５２の噴射孔３２ａ（ノズル部３２）より下方に位置する。また、平面部５６ｂは、装着部３５を肩カバー１４の下部外周壁２６に装着したとき、肩カバー１４の平面壁２１と重なるように隣接されている（図４ａ参照）。そのため、この平面部５６ｂが、第２肩カバーガイド部となる。
後部５７は、装着部３５の後部上端から肩カバー１４の上部周壁２７の案内溝２９に挿入される案内凸部５９を備えており、後部５７の上端に回転軸５５ａを挟む２つの軸受部５７ｂが形成されている。詳しくは、後部５７は、装着部３５の後側上端から上方に延びる支持壁５７ａと、その支持壁５７ａの上端に設けられ、押ボタン５２の回転軸５５ａの端部をそれぞれ受ける２つの軸受部５７ｂと、上下に延びる平行な案内凸部５９と、それぞれ軸受部５７ｂと案内凸部５９とを連結する平行な連結片５７ｃとから構成される。この案内凸部５９が、第１肩カバーガイド部となる。
側部５８は、装着部３５の側部上端から上方に延びる湾曲外壁５８ａと、押ボタン５２の本体３１に沿って延びる垂直内壁５８ｂと、それらの上端を連結する天壁５８ｃとからなる。側部５８の前方部５８ｄは、テーパー面となっており、前部５６の平面部５６ｂの上端に連結している。この垂直内壁５８ｂに囲まれるように押ボタン５２が配置される。
【００２６】
このように構成されているため、エアゾール装置５０も、図１のエアゾール装置１０と同様に、エアゾール容器１１の向きに合わせて吐出部材５１を容易に付け替えることができる。また、図４ｂに示すように、エアゾール容器１１に吐出部材５１を取り付けるとき、肩カバーの平面壁２１に装着部の平面部５６ｂの向きを合わせ吐出部材５１を被せることにより、案内溝２９内に案内凸部５９が挿入され、吐出部材の装着体５３を肩カバー１４に案内させながら取り付けることができる。特に、装着体５３と押ボタン５２とが軸及び軸受部で連結しているにもかかわらず、押ボタン５２が傾斜してエアゾール容器１１のステム１３ｃと装着することがない。さらに、エアゾール容器１１の肩カバー１４の平面壁２１と装着体５３の平面部５６ｂとが近接して平行するように構成されているため、一層正確に吐出部材５１をエアゾール容器１１に装着することができる。
【００２７】
図５のエアゾール装置６０は、エアゾール容器６１のバルブアッセンブリ６３が容器本体６２の開口部より上方に突出した突出部６３ａを備えており、その突出部に容器方向認識機構となる平面部７５（容器方向認識部）が設けられたものである。このように、バルブアッセンブリ６３が容器方向認識機構を備えているため、エアゾール容器６１の肩カバー６４を取り付けるとき、バルブアッセンブリ６３の方向を認識でき、エアゾール容器６１の製造が容易となる。
エアゾール装置６０は、エアゾール容器６１と、そのエアゾール容器に付け替え可能に取り付けられる吐出部材６５とからなる。
【００２８】
エアゾール容器６１は、図６ａに示すように、容器本体６２と、その容器本体６２を閉じるバルブアッセンブリ６３と、容器本体６２および／またはバルブアッセンブリ６３に
固定される肩カバー６４とを備えている。
容器本体６２は、円筒状の胴部、テーパー状の肩部、円筒状の首部および上端の肉厚の顎部６２ａを備えた耐圧容器である。首部の内面と顎部６２ａの内面とは、連続しており垂直面からなる円筒状となっており、開口部の内面６２ｂを構成している。このような容器本体６２は、例えば、ポリエチレンテレフタレート、ナイロン、ポリプロピレンなどの合成樹脂から有底筒状のパリソンを成形し、そのパリソンを軸方向に伸ばしながら内部に空気を吹き込んで膨らます２軸延伸ブロー成形によって成形することができる。また、耐圧ガラスから成形してもよい。
【００２９】
バルブアッセンブリ６３は、容器本体６２の開口部を閉じるバルブホルダー６６と、そのバルブホルダー６６に支持または保持されるバルブ機構６７と、そのバルブホルダー６６を覆い、かつ、バルブホルダー６６を容器本体６２に固定するカバーキャップ６８とを備えている。
バルブホルダー６６は、容器本体６２の開口部に挿入される円筒状の栓部７１と、容器本体６２の上端開口部に配置された柱状の蓋部７２とからなる。また、容器本体６２の顎部６２ａの上端と係合させ、バルブホルダー６６を支持するために、栓部７１と蓋部７２との間に半径方向外側に突出したフランジ部７３が形成されている。バルブホルダー６６の中心には、上下に貫通し、バルブ機構６７を保持するバルブ保持部７４が形成されている。そして、蓋部７２は、円柱体から一部が鉛直方向に延びる平面で切り欠いた形状を呈しており、平面視では円の一部が切りかかれた形状を呈しており、円柱体を切り欠いた部分は平面部６９となっている。
【００３０】
バルブ機構６７は、バルブ保持部７４内に支持されるステム６７ａ、ステムラバー６７ｂ、バネ６７ｃとからなる。なお、ステム６７ａ、ステムラバー６７ｂ、バネ６７ｃを収容するハウジングを備えていてもよい。
カバーキャップ６８は、容器本体６２、バルブホルダー６６およびバルブ機構６７の上端を覆う天面を有する筒状のマウント部６８ａと、その下端に形成され、バルブホルダー６６およびバルブ機構６７を容器本体６２に固定する筒状の固着部６８ｂとからなる。マウント部６８ａは、バルブホルダー６６の蓋部７２と同様に、円柱体から一部が鉛直方向に延びる平面で切り欠いた形状を呈しており、平面視では円の一部が切りかかれた形状を呈しており、円柱体を切り欠いた部分は平面部７５となっている。つまり、カバーキャップ６８の平面部７５とバルブホルダー６６の平面部６９とは隣接して沿うように構成されている。そして、カバーキャップ６８のマウント部６８ａが突出部６３ａとなり、その平面部７５（容器方向認識部）がバルブアッセンブリ６３の容器方向認識機構となる。なお、容器方向認識機構として、エアゾール容器６１の外形を容器本体６２の軸を中心として非点対称とする他の容器方向認識部を備えていればよい。
固着部６８ｂは、バルブホルダー６６のフランジ７３と容器本体６２の顎部６２ａを挟む部位である。この容器本体６２の顎部６２ａまたはその顎部６２ａを覆う固着部６８ｂが、肩カバー６４と係合する係合段部となる。
【００３１】
肩カバー６４は、上部周壁７６がカバーキャップ６８のマウント部６８ａを覆うように同形状（案内溝を備えていない）となっており、下部外周壁７７の下端に外方に突出する係合爪７７ａ（図５ａ参照）が２つ等間隔に設けられている。他の構成は、図１の肩カバー１４と実質的に同じであり、下部内周壁２５、下部内周壁２５と下部外周壁７７と上部周壁を連結する連通板２８を有している。
上部周壁７６は、カバーキャップ６８のマウント部６８ａを囲む湾曲壁７６ａと、その両端を繋ぐ平面壁７６ｂと、それらの上端に設けられるリング状の上壁７６ｃとからなり、平面視で円を割線で切り欠いた形状を呈している（図６ｂ、参照）。そして、平面壁７６ｂが、吐出部材６５を装着する際、円筒状の容器本体の方向を認識するための方向認識部となる。平面壁７６ｂは、エアゾール容器６１の前方を示すものである。さらに、この
平面壁７６ｂは、後述するように装着体１７の平面部３７ｂと近接して平行となるように構成されており、吐出部材ガイド部となる（図５ａ参照）。
この肩カバー６４の中央孔（エアゾール容器６１の開口部）を塞ぐように上部周壁７６の上壁７６ｃの上に封止材１９を設けることにより、詰め替え用の吐出容器となる。
【００３２】
図５に戻って、吐出部材６５は、バルブアッセンブリ６３のステムに装着される押ボタン１６と、肩カバー６４に装着される装着体７８とを備えている。押ボタン１６は、図１の押ボタン１６と実質的に同じものである。
装着体７８は、後部７９が肩カバー６４の湾曲壁７６ａと隣接して沿うように構成されている点以外は、図１の装着体１７と実質的に同じであり、装着部３５と、保護部３６の前部３７、側部３９とを備えており、係合片４２からなる脱離操作部を備えている。なお、係合片４２には、肩カバーの係合爪７７ａと係合するスリット４２ｄが形成されている。
【００３３】
後部７９は、装着部３５の後部上端から肩カバー６４の上部周壁７６と隣接して重なる案内凸部８０を備えている。後部７９は、装着部３５の後側上端から上方に延びる支持壁７９ａと、上下に延びる案内凸部８０と、支持壁７９ａと案内壁８０とを連結する連結片７９ｂとから構成される。この案内凸部８０が、第１肩カバーガイド部となる。
【００３４】
このように構成されているため、エアゾール装置６０も、図１のエアゾール装置１０および図４のエアゾール装置５０と同様に、エアゾール容器１１の向きに合わせて吐出部材６１を容易に、かつ、正確に付け替えることができる。
【００３５】
実施形態では、１つの弁棒を有する吐出容器（エアゾール容器）を開示してきた。しかし、本発明の吐出装置の吐出容器は、２つの弁棒を有するエアゾール容器や２連式のエアゾール容器であってもよい。例えば、国際公開番号ＷＯ２０１２／０８６８１８号のような２つの弁棒を有するエアゾール容器を用いてもよい。また、特開２０１２−２２４３７６号の図５のような２連式のエアゾール容器を用いてもよい。
【符号の説明】
【００３６】
１０  エアゾール装置
１１  エアゾール容器
１２  容器本体
１２ａ  ビード部
１２ｂ  係合段部
１３  エアゾールバルブ
１３ａ  マウンティングカップ
１３ｂ  ハウジング
１３ｃ  ステム
１３ｄ  ステムラバー
１３ｅ  バネ
１３ｆ  ディップチューブ
１４  肩カバー
１５  吐出部材
１６  押ボタン
１７  装着体
１９  封止材
２１  方向認識部（平面壁）
２２  脱離操作部
２３  案内機構
２５  肩カバーの下部内周壁
２５ａ  係合爪
２６  肩カバーの下部外周壁
２６ａ  係合溝
２７  肩カバーの上部周壁
２７ａ  湾曲壁
２７ｂ  上壁
２８  連通板
２９  案内溝
３１  押ボタンの本体
３１ａ  ステム係合部
３１ｂ  突出部
３２  ノズル部
３２ａ  噴射孔
３３  押部
３４  ヒンジ
３５  装着部
３６  保護部
３７  前部
３７ａ  テーパー部
３７ｂ  平面部
３８  後部
３８ａ  支持壁
３８ｂ  連結壁
３９  側部
３９ａ  湾曲外壁
３９ｂ  湾曲内壁
３９ｃ  天壁
３９ｄ  当接部
４０  案内凸部
４１  スリット
４２  係合片
４２ａ  係合爪
４２ｂ  押圧部
４２ｃ  軸部
５０  エアゾール装置
５１  吐出部材
５２  押ボタン
５３  装着体
５３ａ  保護部
５４  トリガー
５５  連結部
５５ａ  回転軸
５６  前部
５６ａ  水平壁
５６ｂ  平面部
５７  後部
５７ａ  支持壁
５７ｂ  軸受部
５７ｃ  連結片
５８  側部
５８ａ  湾曲外壁
５８ｂ  垂直内壁
５８ｃ  天壁
５８ｄ  前方部
５９  案内凸部
６０  エアゾール装置
６１  エアゾール容器
６２  容器本体
６２ａ  顎部
６２ｂ  容器本体の開口部の内面
６３  バルブアッセンブリ
６３ａ  突出部
６４  肩カバー
６５  吐出部材
６６  バルブホルダー
６７  バルブ機構
６７ａ  ステム
６７ｂ  ステムラバー
６７ｃ  バネ
６８  カバーキャップ
６８ａ  マウント部
６８ｂ  固着部
６９  平面部
７１  栓部
７２  蓋部
７３  フランジ部
７４  バルブ保持部
７５  平面部
７６  上部周壁
７６ａ  湾曲壁
７６ｂ  平面壁
７６ｃ  上壁
７７  下部外周壁
７７ａ  係合爪
７８  装着体
７９  後部
７９ａ  支持壁
７９ｂ  連結片
８０  案内凸部
【図１】
2015166251.tif 000003
【図２】
2015166251.tif 000004
【図３】
2015166251.tif 000005
【図４】
2015166251.tif 000006
【図５】
2015166251.tif 000007
【図６】
2015166251.tif 000008